(57)【要約】【課題】簡単な構成からなり、つけまつげを容易に装着することのできるつけまつげ装着用ピンセットを得る。【解決手段】樹脂材にてほぼＵ字形状に折曲された状態に形成された可撓性を有する一対の把持部１１，１１と、それぞれの把持部１１，１１の先端からほぼ直交する方向に延在された一対の挟着部１５，１５と、を備えたつけまつげ装着用ピンセット。一対の挟着部１５，１５は瞼の形状にほぼ沿った湾曲形状をなし、かつ、粘着阻害処理が施されている。一対の挟着部１５，１５の間につけまつげの毛部の根元を位置させた状態で一対の把持部１１，１１を摘むことにより、一対の挟着部１５，１５が平行に密着してつけまつげを挟着する。【選択図】図１
2011106066.tif 000002
【特許請求の範囲】
【請求項１】
樹脂材にてほぼＵ字形状に折曲された状態に形成された可撓性を有する一対の把持部と、それぞれの把持部の先端からほぼ直交する方向に延在された一対の挟着部と、を備え、
前記一対の挟着部は瞼の形状にほぼ沿った湾曲形状をなし、かつ、粘着阻害処理が施されており、
前記一対の挟着部の間につけまつげの毛部の根元を位置させた状態で前記一対の把持部を摘むことにより、前記一対の挟着部が平行に密着してつけまつげを挟着すること、
を特徴とするつけまつげ装着用ピンセット。
【請求項２】
前記一対の挟着部は長手方向に沿って互いに係合する凹凸形状を有していること、を特徴とする請求項１に記載のつけまつげ装着用ピンセット。
【請求項３】
前記一対の挟着部の少なくともいずれかの表面に寸法目盛が付されていること、を特徴とする請求項１又は請求項２に記載のつけまつげ装着用ピンセット。
【請求項４】
前記粘着阻害処理とは粗面化処理であること、を特徴とする請求項１ないし請求項３のいずれかに記載のつけまつげ装着用ピンセット。
【発明の詳細な説明】
【技術分野】
【０００１】
本発明は、つけまつげ装着用ピンセット、特に、つけまつげを所定の長さにカットし、粘着剤を付けて瞼に装着する際に使用するつけまつげ装着用ピンセットに関する。
【背景技術】
【０００２】
近年、女性の間ではつけまつげの普及は目覚ましく、通常、使用者本人がつけまつげを指先で摘まんで瞼に装着している。ところが、つけまつげは細くて柔軟であり、粘着剤を付ける作業が煩雑であり、かつ、湾曲している瞼の微妙な位置に装着しなければならず、かなりの注意を要して手間であった。しかも、装着するときに自分の手や指が視界を遮るという不具合を有していた。
【０００３】
先行技術文献としては、特許文献１，２を挙げることができるが、文献１はつけまつげを試着する際のツールであり、文献２はつけまつげのカウンセリング用具である。いずれも、日常的につけまつげの装着に簡便に使用できるものではない。
【先行技術文献】
【特許文献】
【０００４】
【特許文献１】実用新案登録第３０９０２６２号公報
【特許文献２】実用新案登録第３１１６２７０号公報
【発明の概要】
【発明が解決しようとする課題】
【０００５】
そこで、本発明の目的は、簡単な構成からなり、つけまつげを容易に装着することのできるつけまつげ装着用ピンセットを提供することにある。
【課題を解決するための手段】
【０００６】
本発明の一形態であるつけまつげ装着用ピンセットは、
樹脂材にてほぼＵ字形状に折曲された状態に形成された可撓性を有する一対の把持部と、それぞれの把持部の先端からほぼ直交する方向に延在された一対の挟着部と、を備え、
前記一対の挟着部は瞼の形状にほぼ沿った湾曲形状をなし、かつ、粘着阻害処理が施されており、
前記一対の挟着部の間につけまつげの毛部の根元を位置させた状態で前記一対の把持部を摘むことにより、前記一対の挟着部が平行に密着してつけまつげを挟着すること、
を特徴とする。
【０００７】
前記つけまつげ装着用ピンセットは、Ｕ字形状の一対の把持部と該把持部のそれぞれからほぼ直交する方向に延在された一対の挟着部からなるＬ字形状の簡単な構成である。そして、一対の挟着部の間につけまつげの毛部の根元を位置させた状態で、一対の把持部を摘むことにより、一対の挟着部が平行に密着してつけまつげを挟着できる。この状態で、つけまつげの基部に粘着剤を塗布し、つけまつげの基部を瞼に当てることにより、一対の挟着部が瞼の形状にほぼ沿った湾曲形状であるため、極めて容易に装着することができる。しかも、ピンセット自体がＬ字形状であるため、手や指あるいは把持部が視界を遮ることもなく、正確な位置に容易に装着できる。また、挟着部には粘着阻害処理が施されているため、つけまつげが挟着部に粘着することがない。
【０００８】
なお、把持部はつけまつげを摘むために可撓性を有することが必要となる。挟着部に関しては、可撓性を有することが好ましく、把持部と同じ材料で一体的に成形されると、当然、可撓性を有することになるが、可撓性は必ずしも必要ではない。
【０００９】
前記つけまつげ装着用ピンセットにおいては、一対の挟着部は長手方向に沿って互いに係合する凹凸形状を有していてもよい。該凹凸形状によってつけまつげの毛部の根元を確実に挟着することができるとともに、粘着面を瞼に向けて湾曲させることができる。また、一対の挟着部の少なくともいずれかの表面に寸法目盛が付されていることが好ましい。つけまつげを必要な長さにカットする際の目安となる。
【００１０】
粘着阻害処理は例えば挟着部の表面を粗面化する処理である。
【発明の効果】
【００１１】
本発明によれば、簡単な構成からなり、つけまつげを容易に装着することができる。ところで、通常のピンセットは、一対の長尺の挟着体で物を摘むように構成されており、摘む部分は一対の挟着体の先端である。即ち、先端部分のみが互いにピンポイントで密着して物を摘む。これに対して、本発明に係るつけまつげ装着用ピンセットは一対の挟着部が平行に密着してつけまつげを挟着する。この点で、本発明に係るピンセットは従来のピンセットと基本的に異なる構成を有し、つけまつげを効果的に保持できる。
【図面の簡単な説明】
【００１２】
【図１】第１実施例であるつけまつげ装着用ピンセットを示し、（Ａ）は平面図、（Ｂ）は正面図、（Ｃ）は右側面図、（Ｄ）は底面図である。
【図２】第１実施例であるつけまつげ装着用ピンセットを示す斜視図である。
【図３】第１実施例であるつけまつげ装着用ピンセットの使用時を示す説明図である。
【図４】第２実施例であるつけまつげ装着用ピンセットを示し、（Ａ）は平面図、（Ｂ）は正面図、（Ｃ）は右側面図である。
【図５】第２実施例であるつけまつげ装着用ピンセットの使用時を示す説明図である。
【図６】（Ａ），（Ｂ），（Ｃ）のそれぞれは挟着部の変形例及びその使用例を示す斜視図及び断面図である。
【発明を実施するための形態】
【００１３】
以下、本発明に係るつけまつげ装着用ピンセットの実施例について添付図面を参照して説明する。
【００１４】
（第１実施例、図１、図２、図３参照）
第１実施例であるつけまつげ装着用ピンセットは、図１及び図２に示すように、樹脂材（ポリプロピレン、ポリスチレン、ＡＢＳなどの熱可塑性樹脂が好ましい）にて、可撓性を有する下部１１’で連結されてほぼＵ字形状に折曲した状態に形成された一対の把持部１１，１１と、把持部１１，１１の先端角部からほぼ直交する方向に延在された一対の挟着部１５，１５と、を備えた、ほぼＬ字形状をなしている。
【００１５】
一対の挟着部１５，１５は、図３に示すように、閉じた瞼の形状に沿った湾曲形状をなし、互いに対向する面には粘着阻害処理（例えば、粗面化処理）がなされている。また、一方の挟着部１５の外面には寸法目盛（図１（Ｂ）参照）が付されている。
【００１６】
以上の構成からなるつけまつげ装着用ピンセットは、Ｕ字形状の一対の把持部１１，１１と該把持部１１，１１のそれぞれからほぼ直交する方向に延在された一対の挟着部１５，１５からなるＬ字形状の簡単な構成である。
【００１７】
一方、図３に示すように、つけまつげ２０は、毛部２１と基部２２とで形成されている周知のものである。そして、一対の挟着部１５，１５の間につけまつげ２０の毛部２１の根元を位置させた状態で、一対の把持部１１，１１を摘むことにより、下部１１’の可撓性によって把持部１１，１１が近接するとともに、一対の挟着部１５，１５が平行に密着してつけまつげ２０を挟着できる。
【００１８】
この状態で、つけまつげ２０の基部２２に粘着剤を塗布し、図３に示すように、基部２２を瞼に当てることにより、一対の挟着部１５，１５が閉じた瞼の形状にほぼ沿った湾曲形状であるため、極めて容易に装着することができる。しかも、ピンセット自体がＬ字形状であるため、手や指あるいは把持部１１，１１が視界を遮ることもなく、正確な位置に容易に装着できる。また、挟着部１５，１５には粘着阻害処理が施されているため、基部２２が挟着部１５，１５に粘着することがない。
【００１９】
また、挟着部１５の表面に寸法目盛が付されているため、つけまつげ２０を挟着した状態でつけまつげを必要な長さにカットする際の目安となり、便利である。
【００２０】
（第２実施例、図４、図５参照）
第２実施例であるつけまつげ装着用ピンセットは、図４に示すように、基本的には前記第１実施例と同様に、一対の把持部１１，１１と一対の挟着部１５，１５にて構成されている。本第２実施例において、一対の挟着部１５，１５は瞼の表面にほぼ沿った湾曲形状をなし、図４（Ａ）に示すように、平面的には湾曲した平行状態に延在している。
【００２１】
第２実施例であるつけまつげ装着用ピンセットの使用方法は、図５に示すとおりであり、前記第１実施例と基本的には同じ操作で行うが、ピンセットを右目は下方から、左目は上方から当てることになる。
【００２２】
（挟着部の変形例、図６参照）
ところで、前記挟着部は、図６（Ａ）に示すように、長手方向に沿って互いに係合する凸形状１５ａ及び凹形状１５ｂが形成されていてもよい。凸凹形状１５ａ，１５ｂを設けることにより、つけまつげ２０の毛部２１を屈曲させた状態で挟着することができ（図６（Ｃ）参照）、毛部２１を一方の挟着部１５に巻き付けた状態で基部２２の粘着剤塗布面ｃを瞼に当てることができるとともに、基部２２の片面である塗布面ｃを前に向けて塗布面ｃにのみ粘着材を容易に塗布することができる。
【００２３】
（他の実施例）
なお、本発明に係るつけまつげ装着用ピンセットは前記実施例に限定するものではなく、その要旨の範囲内で種々に変更できる。
【産業上の利用可能性】
【００２４】
以上のように、本発明は、つけまつげ装着用ピンセットに有用であり、特に、簡単な構成からなり、つけまつげを容易に装着できる点で優れている。
【符号の説明】
【００２５】
１１…把持部
１５…挟着部
２０…つけまつげ
２１…毛部
２２…基部
【図１】
2011106066.tif 000003
【図２】
2011106066.tif 000004
【図３】
2011106066.tif 000005
【図４】
2011106066.tif 000006
【図５】
2011106066.tif 000007
【図６】
2011106066.tif 000008